(57)【要約】【課題】既存のユーザ端末向けの検出用信号とスモールセル検出／測定用信号が混在する場合であっても、無線通信を適切に行うこと。【解決手段】スモールセルをカバレッジ範囲に含むマクロセルを形成すると共に、前記スモールセルに接続可能なユーザ端末と通信を行う基地局であって、所定の周波数に対して、前記スモールセルから送信される同期信号を用いた第１の検出処理と、前記スモールセルから送信される検出／測定用信号を用いた第２の検出処理の一方又は双方をユーザ端末に指示する指示部と、前記指示部が前記第２の検出処理を指示した場合に、前記検出／測定用信号のパラメータに関する情報をユーザ端末に送信する送信部と、を設ける。【選択図】図４
2015070294.tif 000002
【特許請求の範囲】
【請求項１】
スモールセルをカバレッジ範囲に含むマクロセルを形成すると共に、前記スモールセルに接続可能なユーザ端末と通信を行う基地局であって、
所定の周波数に対して、前記スモールセルから送信される同期信号を用いた第１の検出処理と、前記スモールセルから送信される検出／測定用信号を用いた第２の検出処理の一方又は双方をユーザ端末に指示する指示部と、
前記指示部が前記第２の検出処理を指示した場合に、前記検出／測定用信号のパラメータに関する情報をユーザ端末に送信する送信部と、を有することを特徴とする基地局。
【請求項２】
前記送信部は、前記検出／測定用信号のパラメータに関する情報を、前記第２の検出処理の指示と同一の情報要素に含めて送信することを特徴とする請求項１に記載の基地局。
【請求項３】
前記送信部は、前記検出／測定用信号のパラメータに関する情報を、前記第２の検出処理の指示とは別の情報要素に含めて送信することを特徴とする請求項１に記載の基地局。
【請求項４】
前記指示部が前記第１の検出処理及び前記第２の検出処理を指示した場合に、前記送信部は、前記第２の検出を行わないリソースに関する情報をユーザ端末に送信することを特徴とする請求項１に記載の基地局。
【請求項５】
前記送信部は、アイドル状態のユーザ端末に対して、前記検出／測定用信号のパラメータに関する情報を報知情報に含めて送信することを特徴とする請求項１に記載の基地局。
【請求項６】
前記送信部は、前記検出／測定用信号の周波数及び送信タイミングをＳＩＢに含めて送信することを特徴とする請求項５に記載の基地局。
【請求項７】
前記第１の検出処理の結果及び前記第２の検出処理の結果の少なくとも一部をそれぞれメジャメントレポートとして受信する受信部を有し、
前記メジャメントレポートに基づいてユーザ端末のスモールセルへの接続を制御することを特徴とする請求項１に記載の基地局。
【請求項８】
スモールセルを形成する基地局及び前記スモールセルをカバレッジ範囲に含むマクロセルを形成する基地局と通信するユーザ端末であって、
前記スモールセルから送信される同期信号及び参照信号を用いた第１の検出／測定処理と、前記スモールセルから送信される検出／測定用信号を用いた第２の検出／測定処理を行う検出処理部と、
前記検出／測定用信号のパラメータに関する情報を受信する受信部と、を有し、
前記検出処理部は、所定の周波数に対して前記マクロセルから通知される前記第２の検出処理の指示を受けた場合に、前記検出／測定用信号のパラメータに関する情報に基づいて前記第２の検出処理を行うことを特徴とするユーザ端末。
【請求項９】
前記第１の検出／測定処理の結果と前記第２の検出／測定処理の結果の少なくとも一部をそれぞれメジャメントレポートとして送信する送信部を有し、
前記送信部は、前記第１の検出／測定処理の結果と前記第２の検出／測定処理の結果に対してそれぞれ設定されたイベントトリガに基づいて、前記メジャメントレポートの送信有無を制御することを特徴とする請求項８に記載のユーザ端末。
【請求項１０】
スモールセルを形成する基地局及び前記スモールセルをカバレッジ範囲に含むマクロセルを形成する基地局と、ユーザ端末との無線通信方法であって、
前記マクロセルを形成する基地局から、所定の周波数に対して、前記スモールセルから送信される同期信号を用いた第１の検出処理と、前記スモールセルから送信される検出／測定用信号を用いた第２の検出処理の一方又は双方をユーザ端末に指示する工程と、
前記第２の検出処理を指示した場合に、前記検出／測定用信号のパラメータに関する情報をユーザ端末に送信する工程と、を有することを特徴とする無線通信方法。
【発明の詳細な説明】
【技術分野】
【０００１】
本発明は、次世代移動通信システムにおける基地局、ユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ:Long  Term  Evolution）が仕様化された（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００３】
また、ＬＴＥからのさらなる広帯域化及び高速化を目的として、ＬＴＥの後継システムも検討されてきた（例えば、ＬＴＥアドバンスト又はＬＴＥエンハンスメントと呼ぶこともある（以下、「ＬＴＥ−Ａ」という））。ＬＴＥ−Ａシステムでは、半径数キロメートル程度の広範囲のカバレッジエリアを有するマクロセル内に、半径数十メートル程度の局所的なカバレッジエリアを有するスモールセル（例えば、ピコセル、フェムトセルなど）が形成されるＨｅｔＮｅｔ（Heterogeneous  Network）が検討されている（例えば、非特許文献２）。また、ＨｅｔＮｅｔでは、マクロセル（マクロ基地局）とスモールセル（スモール基地局）間で同一周波数帯だけでなく、異なる周波数帯のキャリアを用いることも検討されている。
【先行技術文献】
【非特許文献】
【０００４】
【非特許文献１】3GPP  TS  36.300“Evolved  UTRA  and  Evolved  UTRAN  Overall  description”
【非特許文献２】3GPP  TR  36.814“E-UTRA  Further  advancements  for  E-UTRA  physical  layer  aspects”
【発明の概要】
【発明が解決しようとする課題】
【０００５】
上述のＨｅｔＮｅｔでは、マクロセル内に多数のスモールセルを配置することが想定される。この場合、例えば、トラフィックの大きい場所にスモールセルを局所的に配置し、セル間でのオフロード効果を図ることが想定される。このような環境において、ユーザ端末が効率的にスモールセルを検出して接続する方法として、新たにスモールセル検出用メカニズム（Ｓｍａｌｌ  ｃｅｌｌ  ｄｉｓｃｏｖｅｒｙ）の導入が検討されている。
【０００６】
Ｓｍａｌｌ  ｃｅｌｌ  ｄｉｓｃｏｖｅｒｙにおいては、既存の同期信号や測定信号とは異なる新たな検出／測定用信号の使用が想定される。一方で、スモールセルでは、既存のシステムとの互換性（Backward  compatible）を確保するために、既存のユーザ端末向けの各種信号の送信も行われることが想定される。このため、既存のユーザ端末向けの各種信号を用いたスモールセルの検出／測定と、新たに導入される検出／測定用信号を用いたスモールセルの検出／測定をどのように制御するかが問題となる。
【０００７】
本発明は、かかる点に鑑みてなされたものであり、既存のユーザ端末向けの検出用信号とスモールセル検出／測定用信号が混在する場合であっても、無線通信を適切に行うことができる基地局、ユーザ端末及び無線通信方法を提供することを目的の一とする。
【課題を解決するための手段】
【０００８】
本発明の基地局は、スモールセルをカバレッジ範囲に含むマクロセルを形成すると共に、前記スモールセルに接続可能なユーザ端末と通信を行う基地局であって、所定の周波数に対して、前記スモールセルから送信される同期信号を用いた第１の検出処理と、前記スモールセルから送信される検出／測定用信号を用いた第２の検出処理の一方又は双方をユーザ端末に指示する指示部と、前記指示部が前記第２の検出処理を指示した場合に、前記検出／測定用信号のパラメータに関する情報をユーザ端末に送信する送信部と、を有することを特徴とする。
【発明の効果】
【０００９】
本発明によれば、既存のユーザ端末向けの検出用信号とスモールセル検出／測定用信号が混在する場合であっても、無線通信を適切に行うことができる。
【図面の簡単な説明】
【００１０】
【図１】ＨｅｔＮｅｔの概念図である。
【図２】スモールセル検出におけるＤＳ送信タイミングの一例を説明する図である。
【図３】スモールセル検出と、レガシーセルサーチの概要を説明する図である。
【図４】本実施の形態にかかるスモールセル検出及びレガシーセルサーチの制御方法を説明する図である。
【図５】本実施の形態にかかるアイドル状態のユーザ端末におけるスモールセル検出動作を説明する図である。
【図６】本実施の形態に係る無線通信システムの一例を示す概略図である。
【図７】本実施の形態に係る無線基地局の全体構成の説明図である。
【図８】本実施の形態に係るマクロ基地局の機能構成の説明図である。
【図９】本実施の形態に係るスモール基地局の機能構成の説明図である。
【図１０】本実施の形態に係るユーザ端末の全体構成の説明図である。
【図１１】本実施の形態に係るユーザ端末の機能構成の説明図である。
【発明を実施するための形態】
【００１１】
図１は、Ｒｅｌ．１２以降で想定されるＨｅｔＮｅｔの概念図である。図１に示すように、ＨｅｔＮｅｔは、マクロセル（Ｍａｃｒｏ  ｃｅｌｌ）とスモールセル（Ｓｍａｌｌ  ｃｅｌｌ）との少なくとも一部が地理的に重複して配置される無線通信システムである。ＨｅｔＮｅｔは、マクロセルを形成する無線基地局（以下、マクロ基地局という）と、スモールセルを形成する無線基地局（以下、スモール基地局という）と、マクロ基地局とスモール基地局と通信するユーザ端末とを含んで構成される。
【００１２】
一般にユーザ分布やトラフィックは均一でなく、時間的、あるいは、場所的に変動する。そのため、マクロセル内に多数のスモールセルを配置する場合、場所に応じて密度や環境の異なる形態で、スモールセルが配置されることが想定される。例えば、ユーザ端末が多く集まる駅やショッピングモール等では、スモールセルの配置密度を高くすること（Dense  small  cell）が考えられる。トラフィックの大きい場所にスモールセルを密に、かつ局所的に（クラスタ状に）配置することにより、セル間でのオフロード効果を得ることが可能となる。
【００１３】
このような環境において、ユーザ端末が効率的にスモールセルを検出して接続する方法として、新たにスモールセル検出用メカニズム（Ｓｍａｌｌ  ｃｅｌｌ  ｄｉｓｃｏｖｅｒｙ）の導入が検討されている。Ｓｍａｌｌ  ｃｅｌｌ  ｄｉｓｃｏｖｅｒｙにおいては、従来のセル検出用信号（同期信号（ＰＳＳ／ＳＳＳ））及び測定用信号（セル固有参照信号（ＣＲＳ））を用いるのではなく、新たにスモールセル用の検出／測定用信号（Ｄｉｓｃｏｖｅｒｙ信号（ＤＳ）とも呼ぶ）を利用してスモールセルの検出／測定を行うことが検討されている。
【００１４】
例えば、スモールセルが検出／測定用信号（ＤＳ）を長周期で送信し、当該ＤＳを検出したユーザ端末から報告される受信状態（ＲＳＲＰ、ＲＳＲＱ等）に基づいて、スモールセルに対するユーザ端末の接続を制御することが想定されている。かかる場合、複数のスモールセルから所定期間にＤＳを長周期で同時送信（同期送信）することが考えられる（図２参照）。これにより、スモールセルが高密度に配置されている場合であっても、ユーザ端末が接続するスモールセルを効率的に決定すると共にオーバーヘッドの増大を抑制することが可能となる。
【００１５】
一方で、このようなスモールセル検出メカニズムを導入する場合であっても、既存システム（例えば、Ｒｅｌ．１１以前）と後方互換性（Backward  compatible）を確保することが想定される。そのため、スモールセル用の検出／測定用信号を導入する一方で、既存のユーザ端末（Ｌｅｇａｃｙ  ＵＥ）のための既存のセル検出用信号（ＰＳＳ／ＳＳＳ）及び測定用信号（ＣＲＳ）は従来と同様に送信されることが想定される。
【００１６】
かかる場合、Ｒｅｌ．１２をサポートするユーザ端末は、既存のメカニズム（セル検出用信号（ＰＳＳ／ＳＳＳ）及び測定用信号（ＣＲＳ）を利用した既存セルサーチ）を利用することもできるし、新たなメカニズム（ＤＳを利用したスモールセル検出）を利用することも可能となる。しかし、各状況におけるユーザ端末の具体的な動作方法については決まっておらず、検討課題となっている（図３参照）。
【００１７】
例えば、スモールセルとマクロセルが重畳するシステムにおいて、Ｒｅｌ．１２をサポートするユーザ端末が、ＤＳを利用したスモールセル検出メカニズム（以下、「スモールセル検出」とも記す）のみを行う場合を想定する。この場合、ＤＳを利用したスモールセル検出メカニズムは、既存の全てのＬＴＥシナリオ（マクロセル検出、アイドル状態（Ｉｄｌｅモード）のユーザ端末、高速移動のユーザ端末等）での動作をサポートするメカニズムとしなければならなくなる。そのため、ＰＳＳ／ＳＳＳ／ＣＲＳと同様に、短い周期で繰り返しＤＳを送信しなければならなくなり、スモールセル間における干渉やオーバーヘッドが増加してしまう。
【００１８】
そのため、Ｒｅｌ．１２のユーザ端末であっても、ＤＳを利用したスモールセル検出メカニズムだけでなく、既存のセル検出用信号（ＰＳＳ／ＳＳＳ）及び測定用信号（ＣＲＳ）を利用することが考えられる。すなわち、ユーザ端末は、自端末の状況に応じて、既存のセル検出用信号（ＰＳＳ／ＳＳＳ）及び測定用信号（ＣＲＳ）による測定に加えた補助的な測定としてＤＳによる測定を行う場合もあれば、ＤＳのみによる測定を行う場合も想定される。
【００１９】
前者の場合、ＰＳＳ／ＳＳＳ／ＣＲＳを用いた測定結果と、ＤＳを用いた測定結果の両方が混在することとなるが、この際に両方の測定結果を用いてどのような制御を行うかが問題となる。例えば、ユーザ端末において、既存セルサーチの測定結果と、ＤＳを用いたスモールセル検出の測定結果に対するメジャメントレポートの送信条件（送信内容、送信有無（イベントトリガ）等）をどのように制御するかが問題となる。
【００２０】
一方で、ＤＳのみ利用した検出／測定を行う場合（後者）においても、ユーザ端末に対するスモールセル検出指示や、測定結果に対するメジャメントレポートの送信条件をどのように制御するかが問題となる。
【００２１】
また、Ｒｅｌ．１２をサポートするユーザ端末が、既存（レガシー）セルサーチ（ＰＳＳ／ＳＳＳを利用したセル検出とＣＲＳを用いたＲＳＲＰ／ＲＳＲＱ測定）と、スモールセル検出（ＤＳを利用したセル検出・ＲＳＲＰ／ＲＳＲＱ測定）を常に両方行うと、ユーザ端末の負担が増加する可能性も考えられる。
【００２２】
そこで、本発明者等は、既存のセル検出用信号（ＰＳＳ／ＳＳＳ）及び測定用信号（ＣＲＳ）を利用する場合（レガシーセルサーチ）を想定して、ＤＳを利用したスモールセル検出を制御することによりユーザ端末の動作を適切に制御することを着想した。例えば、ユーザ端末が接続する基地局から、ＤＳを用いたスモールセル検出及び／又はレガシーセルサーチを指示すると共に、スモールセル検出を行う際にＤＳのパラメータに関する情報をユーザ端末に通知することを見出した。
【００２３】
以下に、本実施の形態について説明する。なお、本実施の形態では、マクロセルが適用する周波数（Ｆ１）とスモールセルが適用する周波数（Ｆ２）は、同一の周波数（同周波）であってもよいし、異なる周波数（異周波）であっても適用することができる。
【００２４】
（第１の態様）
第１の態様では、ユーザ端末がネットワーク（例えば、基地局）からの指示に基づいて、所定の周波数におけるスモールセル検出を行う場合について説明する。
【００２５】
図４は、スモールセルを形成するスモール基地局と、スモールセルをカバレッジ範囲に含むマクロセルを形成するマクロ基地局と、当該スモール基地局及びマクロ基地局と通信可能なユーザ端末から構成されるシステムを示している。また、図４では、マクロセルが適用する周波数とスモールセルが適用する周波数が同一の場合（Ｆ１）と、マクロセルが適用する周波数（Ｆ１）とスモールセルが適用する周波数（Ｆ２）が異なる場合を示している。
【００２６】
基地局（例えば、マクロ基地局）は、当該基地局に接続中のユーザ端末ＵＥ＃１（Connected  UE）に対して、所定の周波数（例えば、Ｆ２）におけるスモールセル検出（Ｓｍａｌｌ  ｃｅｌｌ  ｄｉｓｃｏｖｅｒｙ）の有無を指示する。この際、マクロ基地局は、所定の周波数（例えば、Ｆ２）に対して、前記スモールセルから送信される同期信号（ＳＳ）や参照信号（ＣＲＳ）を用いたレガシーセルサーチについて指示することもできる。
【００２７】
図４では、ユーザ端末＃１に対して、Ｆ２におけるＤＳを用いたスモールセル検出を指示し、ユーザ端末＃２に対して、Ｆ２におけるスモールセル検出とレガシーセルサーチを指示する場合を示している。また、Ｆ１において、スモールセル検出指示がないユーザ端末＃３や、アイドル状態のユーザ端末＃４はレガシーセルサーチを行う構成とすることができる。
【００２８】
マクロ基地局は、当該スモールセル検出の指示を上位レイヤシグナリング（例えば、ＲＲＣシグナリング）を用いて行うことができる。具体的には、マクロ基地局は、周波数毎のＤＳを利用したスモールセル検出の有無に関する情報を、測定対象を定義する情報要素（MeasObjectEUTRA（以下、「ＭｅａｓＯｂｊｅｃｔ」とも記す））に含めてユーザ端末に通知する。
【００２９】
スモールセル検出を行う場合、検出／測定用信号（ＤＳ）のパラメータに関する情報（例えば、送信タイミング）をユーザ端末に通知する。この際、マクロ基地局は、マクロセルに同期したＤＳのタイミング（マクロセルのシステムフレーム番号（ＳＦＮ）、サブフレーム番号、送信周期）を指定する。スモールセルがマクロセルに同期していれば、ユーザ端末はマクロセルの同期情報に基づいてスモールセル検出等を適切に行うことができる。
【００３０】
さらに、基地局は、ＤＳのパラメータに関する情報として、ＤＳの送信タイミングの他に、送信電力、アンテナポート数、ＤＳ周波数、帯域幅、信号構成等のパラメータ（アシスト情報）をユーザ端末に通知してもよい。
【００３１】
ユーザ端末は、基地局から通知されたアシスト情報を利用することにより、ＤＳの到来タイミング等を適切に把握して効率的にＤＳの検出／測定を行うことが可能となる。なお、基地局は、上述したアシスト情報の一部又は全部を、測定対象を定義する情報要素の「ＭｅａｓＯｂｊｅｃｔ」に含めてもよいし、ＤＳ信号の構成を定義された「ＤｉｓｃｏｖｅｒｙＲＳ−Ｃｏｎｆｉｇ」として指示してもよい。以下に、スモールセル検出（Ｓｍａｌｌ  ｃｅｌｌ  ｄｉｓｃｏｖｅｒｙ）の指示と、アシスト情報の通知方法について詳細に説明する。
【００３２】
＜方法１＞
例えば、ＮＷ（例えば、マクロ基地局）は、ＭｅａｓＯｂｊｅｃｔ中に、スモールセル検出指示（DiscoveryConfig）と、システムフレーム番号（ＳＦＮ）やサブフレーム番号等のＤＳタイミング（DiscoverySubframePatterConfig）を含めてユーザ端末に通知する。つまり、スモールセル検出指示と、ＤＳタイミング等のＤＳパラメータに関する情報と、を同一の情報エレメントに含めて送信する。この際、検出を試みる対象となるスモールセルに関する情報（スモールセル識別子リスト）をＭｅａｓＯｂｊｅｃｔ中に含めてもよい。
【００３３】
スモールセル検出指示（DiscoveryConfig）としては、スモールセル検出とレガシーセルサーチの有無を含めることができる。例えば、基地局は、ユーザ端末が指定された周波数においてレガシーセルサーチを行うか否か、スモールセル検出を行うか否かを別々に指定することができる（オプション１）。この場合、（１）レガシーセルサーチ及びスモールセル検出を両方行わない、（２）レガシーセルサーチのみ行う、（３）スモールセル検出のみ行う、（４）レガシーセルサーチ及びスモールセル検出を両方行う、の４パターンの動作を２ビットで指定することができる。なお、かかる２ビットの情報は、スモールセル検出指示（DiscoveryConfig）の領域に規定する場合に限られない。スモールセル検出指示（DiscoveryConfig）の領域と、レガシーセルサーチ用の指示（LegacyConfig）の領域にそれぞれ１ビット（合計２ビット）規定してもよい。
【００３４】
あるいは、基地局は、指定された周波数において、ユーザ端末がスモールセル検出を行うか否かを指定する（オプション２）。この場合、（１）スモールセル検出を行わない（レガシーセルサーチのみ）、（２）スモールセル検出を行う、の２パターンの動作を１ビットで指定することができる。ユーザ端末にスモールセル検出のみを行わせたい場合には、ユーザ端末に上記「（２）スモールセル検出を行う」が通知された場合にレガシーセルサーチを省略することをあらかじめユーザ端末に通知しておけばよい。
【００３５】
あるいは、基地局は、指定された周波数において、ユーザ端末がスモールセル検出を行うか否かを指定し、当該周波数がユーザ端末の接続中の周波数でない場合に、レガシーセルサーチを行わず、スモールセル検出のみ行う（オプション３）。この場合、（１）スモールセル検出を行わない（レガシーセルサーチのみ）、（２）スモールセル検出を行う、の２パターンの動作を１ビットで指定することができる。例えば、ユーザ端末に上記「（２）スモールセル検出を行う」が通知された場合に、ユーザ端末が指定された周波数と通信状態の周波数を比較し、周波数が異なっている場合にはＤＳ信号を利用したスモールセル検出を行い、レガシーセルサーチは行わない。
【００３６】
このように、スモールセル検出指示と、ＤＳタイミング等のＤＳパラメータに関する情報と、を同一の情報エレメントに含めて送信することにより、ユーザ端末がスモールセル検出を行う場合にはＤＳタイミング等のアシスト情報を活用して効率的にスモールセル検出を行うことができる。
【００３７】
＜方法２＞
また、ＮＷ（例えば、マクロ基地局）は、ＭｅａｓＯｂｊｅｃｔ中に、スモールセル検出指示（DiscoveryConfig）を含めてユーザ端末に通知する一方で、送信電力、アンテナポート数、ＤＳ周波数、帯域幅、信号構成等のアシスト情報を、検出用参照信号構成を定義する情報要素（DiscoveryRS-Config）に含めてユーザ端末に通知してもよい。このように、ＤＳのパラメータに関する情報を別の情報要素に含めて送信することにより、送信電力やアンテナポート数，信号構成といった検出用参照信号に関するより細かい情報をユーザ端末に通知することができる。
【００３８】
基地局からスモールセル検出を指示された場合（ＭｅａｓＯｂｊｅｃｔに「スモールセル検出有」が含まれる場合）、ユーザ端末は、指定された周波数においてＤＳを利用したスモールセル検出を実行する。その他の場合には、ユーザ端末はレガシーセルサーチ（Ｌｅｇａｃｙ  ｃｅｌｌ  ｓｅａｒｃｈ）のみを実行する。
【００３９】
なお、ユーザ端末は、基地局からＤＳのタイミングが指示された場合、接続中のセル（例えば、マクロセル又は他のスモールセル）との同期を参照して、指定されたタイミングでスモールセル検出を行うことができる。
【００４０】
複数のスモールセルが高密度に配置される構成においては、セル間の干渉（例えば、ＣＲＳの干渉やＰＳＳ／ＳＳＳ間の衝突による干渉）の影響があるため、レガシーセルサーチを用いる場合には、スモールセル検出に多くの時間を要する。上述したように、基地局が、所定の周波数におけるＤＳを利用したスモールセル検出、及び／又はレガシーセルサーチをユーザ端末に指示することにより、各ユーザ端末の接続状況に応じて適切にスモールセル検出を制御することができる。
【００４１】
また、本実施の形態では、基地局からユーザ端末に対して、ＤＳを利用したスモールセル検出と、レガシーセルサーチの両方を指示することにより、ユーザ端末（例えば、図４のユーザ端末＃２）はＤＳの送信周期の間にもレガシーセルサーチによるスモールセルの検出／測定が可能となる。これにより、レガシーセルサーチの検出／測定結果を考慮してスモールセル検出を行うことにより、スモールセルの検出遅延を低減することができる。
【００４２】
（第２の態様）
第２の態様では、ＤＳを用いたスモールセル検出とレガシーセルサーチを行う場合に、スモールセル検出（ＤＳ送信）に利用するリソースを制限する場合について説明する。
【００４３】
スモールセル検出用のＤＳは、送信サブフレームを仕様で固定して規定せずにネットワークで自由に設定することも考えられる。ＤＳの送信周期が１０や５の倍数でない場合、周期毎にＤＳを送信する無線フレーム内でのサブフレーム位置が変化することとなる。これにより、既存の同期信号（ＰＳＳ／ＳＳＳ）、セル固有参照信号（ＣＲＳ）、報知信号（ＰＢＣＨ）、システム情報（ＳＩＢ）、ページング情報（Ｐａｇｉｎｇ）等とＤＳが衝突するおそれもある。
【００４４】
既存システムとの互換性を考慮すると、ＰＳＳ／ＳＳＳ／ＣＲＳ／ＰＢＣＨの情報をＤＳより優先することが好ましいと考えられる。一方で、データ信号（ＰＤＳＣＨ信号）等と比較して、スモール検出用のＤＳを優先することが好ましいと考えられる。
【００４５】
そのため、ＤＳのリソースがＰＳＳ／ＳＳＳ／ＣＲＳ／ＰＢＣＨ、ＳＩＢ、Ｐａｇｉｎｇ等と衝突する可能性がある場合には、スモールセル検出（ＤＳ送信）を行わずレガシーセルサーチを行う構成とする。ユーザ端末は、ＰＳＳ／ＳＳＳ／ＣＲＳ／ＰＢＣＨ、ＳＩＢ、Ｐａｇｉｎｇ等が割当てられるリソースには、ＤＳがないと仮定して動作を行うことができる。一方で、ＤＳに利用されるリソースエレメントはＰＤＳＣＨ送信には利用しないと仮定してスモールセル検出を行う。
【００４６】
例えば、上記第１の態様で示したように、ＮＷ（基地局）がＭｅａｓＯｂｊｅｃｔ等でスモールセル検出を指示する際に、スモールセル検出を行わないリソース（システムフレーム番号、サブフレーム番号、又はこれらの組み合わせ）をユーザ端末に指定する。
【００４７】
ユーザ端末は、接続中のセル（例えば、マクロセル）との同期を参照し、基地局から指定されたリソースにおいてはスモールセル検出を行わずに、レガシーセルサーチのみを実行することができる。
【００４８】
（第３の態様）
第３の態様では、アイドル状態（Ｉｄｌｅモード）のユーザ端末に対するスモールセル検出指示について説明する。
【００４９】
基地局と非接続であるアイドル状態のユーザ端末（Ｃｏｎｎｅｃｔｅｄモードでないユーザ端末）についても、異周波のセルの再選択（Cell  reselection）や位置推定の観点からは、ＤＳを用いたスモールセル検出を行うことが有効となる。特に、ＤＳを利用したスモールセル検出は、従来のセルサーチ・ｍｅａｓｕｒｅｍｅｎｔより負担が小さいため、アイドル状態のユーザ端末のバッテリーに及ぼす影響も小さい。
【００５０】
一方で、アイドル状態のユーザ端末に対しては、上述したようにＲＲＣシグナリングを利用することができない。このため、第３の態様では、アイドル状態のユーザ端末に対して、マクロセルからの報知情報を用いて、スモールセル検出の周波数及びタイミング等を通知する（図５参照）。
【００５１】
例えば、基地局は、システム情報ブロック（ＳＩＢ−Ｘ）に、検出用周波数（DiscoveryFrequency）や検出サブフレームパタン構成（DiscoverySubframePatternConfig）を追加で指定してユーザ端末に通知する。これにより、アイドル状態のユーザ端末であっても、マクロセルからの通知に基づいてスモールセルにおけるＤＳの到来タイミング等を適切に把握してＤＳの検出／測定を効率的に行うことが可能となる。
【００５２】
（第４の態様）
第４の態様では、ユーザ端末において、レガシーセルサーチとスモールセル検出でそれぞれ得られた測定結果（例えば、受信状態（ＲＳＲＰ／ＲＳＲＱ等））のメジャメントレポートの送信制御について説明する。
【００５３】
ユーザ端末は、レガシーセルサーチとスモールセル検出を別々に行った場合、レガシーセルサーチにより得られた所定セルに対応するセルＩＤ／ＲＳＲＰ／ＲＳＲＱと、スモールセル検出により得られた所定セルに対応するセル識別子／ＲＳＲＰ／ＲＳＲＱを取得する。この場合に、ユーザ端末は以下の方法１〜３のいずれかを用いて基地局（ＮＷ）に測定結果をメジャメントレポートとして報告することができる。
【００５４】
＜方法１＞
ユーザ端末は、レガシーセルサーチにより得られた結果とスモールセル検出により得られた結果の両方をメジャメントレポートとして基地局に送信する。この場合、基地局はユーザ端末とスモールセル基地局の受信状態についてより多くの情報を得ることが可能となる。この場合、ユーザ端末は、レガシーセルサーチにより得られた結果とスモールセル検出により得られた結果を同じタイミングで送信してもよいし、異なるタイミングで送信してもよい。
【００５５】
＜方法２＞
ユーザ端末は、レガシーセルサーチにより得られた結果とスモールセル検出により得られた結果のうち、セル識別子（例えば、セルＩＤ）についてはそれぞれのセルで検出された情報を送信し、受信状態についてはスモールセル検出の結果を優先してメジャメントレポートとして基地局に送信する。つまり、レガシーセルサーチで検出されたセル識別子（例えば、セルＩＤ）がある場合には、スモールセル検出の結果に追加して報告する。
【００５６】
このように、受信状態情報についてスモールセル検出の結果のみ送信することによりレポートサイズの増大を抑制することができる。方法２は、特にスモールセル検出の方が、レガシーセルサーチより検出／測定精度が高い場合に有効となる。
【００５７】
＜方法３＞
ユーザ端末は、レガシーセルサーチにより得られた結果とスモールセル検出により得られた結果のうち、レガシーセルサーチの結果をそのまま送信し、スモールセル検出の結果については、レガシーセルサーチで検出されなかったセル識別子（例えば、セルＩＤ）についてのみ送信する。受信状態情報についてレガシーセルサーチの結果のみ送信することによりレポートサイズの増加を抑制することができる。方法３は、特に従来と同様にレガシーセルサーチの結果をベースとすると共に、スモールセル検出の結果を補足情報として送信する場合に有効となる。
【００５８】
また、ユーザ端末は、レガシーセルサーチにより得られた結果及び／又はスモールセル検出により得られた結果をメジャメントレポートとして送信する場合、周期的に報告する方法、又は所定条件（イベントトリガ）を満たす場合に報告する方法を適用することができる。
【００５９】
測定結果が所定条件を満たした場合にメジャメントレポートの報告を行う方法を適用する場合、レガシーセルサーチにより得られた結果と、スモールセル検出により得られた結果について、それぞれ所定条件（イベントトリガ）を設定することが好ましい。
【００６０】
例えば、スモールセル検出により得られた結果（ＲＳＲＰ／ＲＳＲＱ等）に対して、下記のイベントトリガを設定することができる。
（１）Ｅｖｅｎｔ  Ａ１−ｄｓ：スモールセル検出の結果、サービングセル（Serving）が閾値を上回った場合
（２）Ｅｖｅｎｔ  Ａ２−ｄｓ：スモールセル検出の結果、サービングセル（Serving）が閾値を下回った場合
（３）Ｅｖｅｎｔ  Ａ３−ｄｓ：スモールセル検出の結果、隣接セル（Neighbor）とＰＣｅｌｌの差がオフセットを上回った場合
（４）Ｅｖｅｎｔ  Ａ４−ｄｓ：スモールセル検出の結果、隣接セル（Neighbor）が閾値を上回った場合
（５）Ｅｖｅｎｔ  Ａ５−ｄｓ：スモールセル検出の結果、ＰＣｅｌｌが閾値１を下回り、かつ隣接セル（Neighbor）が閾値２を上回った場合
（６）Ｅｖｅｎｔ  Ａ６−ｄｓ：スモールセル検出の結果、隣接セル（Neighbor）とＳＣｅｌｌの差がオフセットを上回った場合
【００６１】
なお、上述したイベントトリガにおいて、各イベントトリガの指定や閾値の指定は、測定対象の周波数（ＭｅａｓＯｂｊｅｃｔ）毎に別々に指定することができる。また、サービングセルは、接続するセルを示しており、上記イベントＡ１、Ａ２におけるＰＣｅｌｌの周波数で用いる閾値とＳＣｅｌｌの周波数で用いる閾値は別々に指定することができる。
【００６２】
なお、上記イベントトリガにおいて、イベントＡ３、Ａ５、Ａ６等では、レガシーセルサーチの測定結果とスモールセル検出で得られた結果を比較する場合が生じる。例えば、イベントＡ３、Ａ５、Ａ６では、隣接セルとＰＣｅｌｌ／ＳＣｅｌｌ間でレガシーセルサーチとスモールセル検出が混在する可能性がある。
【００６３】
このような場合、ユーザ端末はそれぞれの結果を直接比較してもよいし、一方の結果（例えば、スモールセル検出の結果）に受信品質等に基づいたオフセットを付加して比較を行ってもよい。オフセットに関する情報は、基地局からユーザ端末に通知することができる。受信品質等に基づいて一方の結果にオフセットを加えて比較することにより、ユーザ端末は、異なる信号で測定した結果を適切に比較することができるため、メジャメントレポートのトリガを高精度で制御することが可能となる。
【００６４】
（無線通信システムの構成）
以下、本実施の形態に係る無線通信システムの構成について説明する。
【００６５】
図６は、本実施の形態に係る無線通信システムの概略構成図である。図６に示すように、無線通信システム１は、マクロセルＣ１を形成するマクロ基地局１１と、マクロセルＣ１内に配置され、マクロセルＣ１よりも狭いスモールセルＣ２を形成するスモール基地局１２ａ及び１２ｂとを備えている。ユーザ端末２０は、マクロ基地局１１、スモール基地局１２ａ及び１２ｂ（以下、総称してスモール基地局１２という）の少なくとも一つと無線通信可能に構成されている。なお、マクロ基地局１１、スモール基地局１２の数は、図６に示す数に限られない。
【００６６】
マクロセルＣ１及びスモールセルＣ２では、同一の周波数帯が用いられてもよいし、異なる周波数帯が用いられてもよい。また、マクロ基地局１１及び各スモール基地局１２は、基地局間インタフェース（例えば、光ファイバ、Ｘ２インタフェース）を介して互いに接続される。マクロ基地局１１及び各スモール基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００６７】
なお、マクロ基地局１１は、相対的に広いカバレッジを有する無線基地局であり、ｅＮｏｄｅＢ（ｅＮＢ）、無線基地局、送信ポイント（transmission  point）などと呼ばれてもよい。スモール基地局１２は、局所的なカバレッジを有する無線基地局であり、ＲＲＨ（Remote  Radio  Head）、ピコ基地局、フェムト基地局、ＨｅＮＢ（Ｈｏｍｅ  ｅＮｏｄｅＢ）、送信ポイント、ｅＮｏｄｅＢ（ｅＮＢ）などと呼ばれてもよい。ユーザ端末２０は、ＬＴＥ、ＬＴＥ−Ａなどの各種通信方式に対応した端末であり、移動通信端末だけでなく固定通信端末を含んでよい。
【００６８】
また、無線通信システム１では、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。
【００６９】
無線通信システム１では、下りリンクの通信チャネルとして、各ユーザ端末２０で共有される下り共有チャネル（ＰＤＳＣＨ：Physical  Downlink  Shared  Channel）と、下り制御チャネル（ＰＤＣＣＨ：Physical  Downlink  Control  Channel、ＥＰＤＣＣＨ：Enhanced  Physical  Downlink  Control  Channel）、ＰＣＦＩＣＨ、ＰＨＩＣＨ、報知チャネル（ＰＢＣＨ）などが用いられる。ＰＤＳＣＨにより、ユーザデータや上位レイヤ制御情報が伝送される。ＰＤＣＣＨ、ＥＰＤＣＣＨにより、下り制御情報（ＤＣＩ）が伝送される。
【００７０】
また、無線通信システム１では、上りリンクの通信チャネルとして、各ユーザ端末２０で共有される各ユーザ端末２０で共有される上り共有チャネル（ＰＵＳＣＨ：Physical  Uplink  Shared  Channel）と、上り制御チャネル（ＰＵＣＣＨ：Physical  Uplink  Control  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）や、送達確認情報（ＡＣＫ/ＮＡＣＫ）等が伝送される。
【００７１】
以下、マクロ基地局１１及びスモール基地局１２を区別しない場合、無線基地局１０と総称する。
【００７２】
図７は、本実施の形態に係る無線基地局１０の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、インタフェース部１０６とを備えている。
【００７３】
下りリンクにより無線基地局１０からユーザ端末２０に送信されるユーザデータは、上位局装置３０からインタフェース部１０６を介してベースバンド信号処理部１０４に入力される。
【００７４】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下り制御信号に関しても、チャネル符号化や逆高速フーリエ変換等の送信処理が行われて、各送受信部１０３に転送される。
【００７５】
各送受信部１０３は、ベースバンド信号処理部１０４からアンテナ毎にプリコーディングして出力された下り信号を無線周波数帯に変換する。アンプ部１０２は、周波数変換された無線周波数信号を増幅して送受信アンテナ１０１により送信する。
【００７６】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００７７】
ベースバンド信号処理部１０４では、入力された上り信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、インタフェース部１０６を介して上位局装置３０に転送される。呼処理部１０５は、通信チャネルの設定や解放等の呼処理や、無線基地局１０の状態管理や、無線リソースの管理を行う。
【００７８】
インタフェース部１０６は、基地局間インタフェース（例えば、光ファイバ、Ｘ２インタフェース）を介して隣接基地局と信号を送受信（バックホールシグナリング）する。例えば、マクロ基地局１１とスモール基地局１２間のデータの送受信を、インタフェース部１０６を介して行う。あるいは、インタフェース部１０６は、所定のインタフェースを介して、上位局装置３０と信号を送受信する。
【００７９】
図８は、本実施の形態に係るマクロ基地局１１の機能構成図である。なお、以下の機能構成は、マクロ基地局１１が有するベースバンド信号処理部１０４などによって構成される。
【００８０】
図８に示すように、マクロ基地局１１は、スケジューラ（制御部）３０１、ＤＳパラメータ決定部３０２、スモールセル検出指示部３０３、ＤＬ信号生成部３０４、メジャメントレポート取得部３０５等を具備する。
【００８１】
スケジューラ３０１は、ユーザ端末２０に送信するＤＬ信号用の無線リソース、ユーザ端末２０が送信するＵＬ信号用の無線リソースの割当て（スケジューリング）を行う。例えば、スケジューラ３０１は、ユーザ端末２０に対して、スモールセル検出を行う場合にＤＳのパラメータに関する情報（送信タイミング等のアシスト情報）の生成をＤＬ信号生成部３０４に指示する。
【００８２】
この場合、スケジューラ３０１は、上記第１の態様で示したように、ＭｅａｓＯｂｊｅｃｔ中に、スモールセル検出指示（DiscoveryConfig）と、システムフレーム番号（ＳＦＮ）やサブフレーム番号等のＤＳタイミング（DiscoverySubframePatterConfig）を含めるよう制御することができる（上記第１の態様の方法１）。あるいは、スケジューラ３０１は、ＭｅａｓＯｂｊｅｃｔ中に、スモールセル検出指示（DiscoveryConfig）を含めてユーザ端末に通知する一方で、送信電力、アンテナポート数、ＤＳ周波数、帯域幅、信号構成等のアシスト情報を、検出用参照信号構成を定義する情報要素（DiscoveryRS-Config）に含めるよう制御することができる（上記第１の態様の方法２）。
【００８３】
スモールセル検出指示部３０３は、ユーザ端末に対してＤＳを用いたスモールセル検出の指示を制御する。例えば、スモールセル検出指示部３０３は、マクロ基地局１１に接続中のユーザ端末（Connected  UE）に対して、所定の周波数（例えば、Ｆ２）におけるスモールセル検出の有無を指示する。また、スモールセル検出指示部３０３は、所定の周波数（例えば、Ｆ２）に対して、スモールセルから送信される同期信号（ＳＳ）や参照信号（ＣＲＳ）を用いたレガシーセルサーチについても指示する。
【００８４】
ＤＳパラメータ決定部３０２は、ユーザ端末に対してＤＳを用いたスモールセル検出の指示をする場合に、ＤＳのパラメータに関する情報を決定する。ＤＳのパラメータに関する情報としては、ＤＳの送信タイミング、送信電力、アンテナポート数、ＤＳ周波数、帯域幅、信号構成等のパラメータ（アシスト情報）が挙げられる。ＤＳパラメータ決定部３０２で決定した情報は、スケジューラ３０１、ＤＬ信号生成部３０４に出力される。
【００８５】
ＤＬ信号生成部３０４は、スケジューラ３０１、ＤＳパラメータ決定部３０２からの指示に基づいてＤＬ信号を生成する。ＤＬ信号生成部３０４で生成された信号は、送受信部１０３を介してユーザ端末２０に送信される。
【００８６】
メジャメントレポート取得部３０５は、ユーザ端末から通知されるメジャメントレポートを取得する。メジャメントレポート取得部３０５は、ユーザ端末におけるレガシーセルサーチで得られた結果及びＤＳを用いたスモールセル検出で得られた結果の少なくとも一部をそれぞれメジャメントレポートとして受信する。そして、メジャメントレポート取得部３０５は、当該メジャメントレポートに基づいてユーザ端末のスモールセルへの接続を制御する。
【００８７】
図９は、本実施の形態に係るスモール基地局１２の機能構成図である。なお、以下の機能構成は、スモール基地局１２が有するベースバンド信号処理部１０４などによって構成される。
【００８８】
図９に示すように、スモール基地局１２は、ＵＬ信号検出部３１１、スケジューラ３１２、ＤＬ信号生成部３１３等を具備する。
【００８９】
ＵＬ信号検出部３１１は、ユーザ端末から送信されるＵＬ信号を検出する。ＵＬ信号検出部３１１が、ユーザ端末から通知されるメジャメントレポートを受信することも可能である。
【００９０】
スケジューラ３１２は、ユーザ端末２０に送信するＤＬ信号用の無線リソースの割当て（スケジューリング）を行う。また、スケジューラ３１２は、検出／測定用信号（ＤＳ）の送信を制御する。
【００９１】
ＤＬ信号生成部３１３は、スケジューラ３１２からの指示に基づいてＤＬ信号を生成する。例えば、ＤＬ信号生成部３１３は、同期信号（ＰＳＳ／ＳＳＳ）、参照信号（ＣＲＳ）、測定／検出用信号（ＤＳ）、制御信号、データ信号等を生成する。ＤＬ信号生成部３１３で生成された信号は、送受信部１０３を介してユーザ端末２０に送信される。
【００９２】
図１０は、本実施の形態に係るユーザ端末２０の全体構成図である。ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５とを備えている。
【００９３】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理等がなされる。この下りリンクのデータの内、下りリンクのユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【００９４】
一方、上りリンクのユーザデータについては、アプリケーション部２０５からベースバンド信号処理部２０４に入力される。ベースバンド信号処理部２０４では、再送制御（Ｈ−ＡＲＱ  （Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【００９５】
図１１は、ユーザ端末２０が有するベースバンド信号処理部２０４の主な機能構成図である。図１１に示すように、ユーザ端末２０が有するベースバンド信号処理部２０４は、セル検出／測定部４０１、メジャメントレポート送信制御部４０２、ＵＬ信号生成部４０３を少なくとも有している。
【００９６】
セル検出／測定部４０１は、スモール基地局１２から送信される同期信号（ＰＳＳ／ＳＳＳ）と参照信号（ＣＲＳ）を用いたレガシーセルサーチと、検出／測定用信号（ＤＳ）を用いたスモールセル検出を行う。また、セル検出／測定部４０１は、マクロ基地局１１から、レガシーセルサーチ及び／又はスモールセル検出の指示に関する情報をＲＲＣシグナリングで受信する（上記第１の態様）。また、セル検出／測定部４０１は、スモールセル検出を行う場合、マクロ基地局１１から通知されるＤＳのパラメータに関する情報（アシスト情報）に基づいて、ＤＳの検出を行う。
【００９７】
また、セル検出／測定部４０１は、ＰＳＳ／ＳＳＳ／ＣＲＳ／ＰＢＣＨ、ＳＩＢ、Ｐａｇｉｎｇ等が割当てられるリソースには、ＤＳがないと仮定してレガシーセルサーチを行うことができる。一方で、セル検出／測定部４０１は、ＤＳに利用されるリソースエレメントはＰＤＳＣＨ送信には利用しないと仮定してスモールセル検出を行う（上記第２の態様）。また、ユーザ端末２０がアイドル状態である場合には、セル検出／測定部４０１は、マクロ基地局１１から送信される報知信号に基づいてスモールセル検出を行う（上記第３の態様）。
【００９８】
メジャメントレポート送信制御部４０２は、セル検出／測定部４０１で行ったレガシーセルサーチの結果と、スモールセル検出の結果について、メジャメントレポートとしての送信を制御する。例えば、メジャメントレポート送信制御部４０２は、レガシーセルサーチとスモールセル検出を別々に行った場合、レガシーセルサーチにより得られた所定セルに対応するセルＩＤ／ＲＳＲＰ／ＲＳＲＱと、スモールセル検出により得られた所定セルに対応するセル識別子／ＲＳＲＰ／ＲＳＲＱを取得する。この場合に、メジャメントレポート送信制御部４０２は、上記第４の態様の方法１〜３のいずれかを用いて基地局（ＮＷ）に測定結果をメジャメントレポートとして報告するよう制御する。
【００９９】
メジャメントレポート送信制御部４０２は、レガシーセルサーチにより得られた結果と、スモールセル検出により得られた結果について、それぞれ設定された所定条件（イベントトリガ）に基づいて、メジャメントレポートの送信を制御する（上記第４の態様）。
【０１００】
ＵＬ信号生成部４０３は、メジャメントレポート送信制御部４０２からの指示に基づいて、メジャメントレポート等を生成する。また、ＵＬ信号生成部４０３は、送達確認信号等の上り制御信号や上りデータ信号の生成も行う。
【０１０１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。また、各実施の態様は適宜組み合わせて適用することが可能である。
【符号の説明】
【０１０２】
１…無線通信システム
１０…無線基地局
１１…マクロ基地局
１２、１２ａ、１２ｂ…スモール基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…インタフェース部
２０１…送受信アンテナ
２０２…アンプ部
２０３…送受信部
２０４…ベースバンド信号処理部
２０５…アプリケーション部
３０１…スケジューラ
３０２…ＤＳパラメータ決定部
３０３…スモールセル検出指示部
３０４…ＤＬ信号生成部
３０５…メジャメントレポート取得部
３１１…ＵＬ信号検出部
３１２…スケジューラ
３１３…ＤＬ信号生成部
４０１…セル検出／測定部
４０２…メジャメントレポート送信制御部
４０３…ＵＬ信号生成部
【図１】
2015070294.tif 000003
【図２】
2015070294.tif 000004
【図３】
2015070294.tif 000005
【図４】
2015070294.tif 000006
【図５】
2015070294.tif 000007
【図６】
2015070294.tif 000008
【図７】
2015070294.tif 000009
【図８】
2015070294.tif 000010
【図９】
2015070294.tif 000011
【図１０】
2015070294.tif 000012
【図１１】
2015070294.tif 000013